【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
電子メッセージの通信機能と通話機能を少なくとも備える無線携帯電話に対する電子メッセージ配信装置からの電子メッセージの配信方法であって、
（ａ）前記電子メッセージ配信装置が、前記無線携帯電話に対する電子メッセージの送信を行うことなく、前記無線携帯電話が属する通信網から取得される情報に基づき前記無線携帯電話の通信ステータスを判定するステップと、
（ｂ）前記ステップ（ａ）において判定された通信ステータスが、電子メッセージの受信可能な状態でない場合に、当該通信ステータスに基づき、前記ステップ（ａ）を可変の待ち時間の経過後に再実行すべきか、それとも固定の待ち時間の経過後に再実行すべきかを判定するステップと、
（ｃ）前記ステップ（ｂ）において、前記ステップ（ａ）を可変の待ち時間の経過後に再実行すべきであると判定した場合に、過去に行われた前記ステップ（ｂ）において連続して前記ステップ（ａ）を可変の待ち時間の経過後に再実行すべきであると判定した回数に応じて決定される第１の時間の経過後に前記ステップ（ａ）を再実行するステップと、
（ｄ）前記ステップ（ｂ）において、前記ステップ（ａ）を固定の待ち時間の経過後に再実行すべきであると判定した場合に、予め定められた第２の時間の経過後に前記ステップ（ａ）を再実行するステップと、
（ｅ）前記ステップ（ａ）において判定された通信ステータスが、電子メッセージの受信可能な状態である場合に、前記電子メッセージを前記無線携帯電話に送信するステップと
を備えることを特徴とする電子メッセージの配信方法。
【請求項２】
前記第１の時間は、過去に行われた前記ステップ（ｂ）において連続して前記ステップ（ａ）を可変の待ち時間の経過後に再実行すべきであると判定した回数の増加に応じて長くなるように決定される時間である
請求項１に記載の電子メッセージの配信方法。
【請求項３】
前記電子メッセージ配信装置が、前記無線携帯電話を宛先とする電子メッセージの着信通知を前記無線携帯電話に送信するステップを備え、
前記電子メッセージ配信装置は、前記ステップ（ａ）において、前記着信通知に対する応答として前記無線網から送信される情報を取得する
ことを特徴とする請求項１に記載の電子メッセージの配信方法。
【請求項４】
前記電子メッセージ配信装置は、前記無線携帯電話がサービス圏外にあるか、前記無線携帯電話の電源が投入されていないか、あるいは前記無線携帯電話が故障しているか、のいずれかを示す情報を前記通信網から受信した場合に、前記ステップ（ｂ）において、前記ステップ（ａ）を可変の待ち時間の経過後に再実行すべきであると判定する
ことを特徴とする請求項１に記載の電子メッセージの配信方法。
【請求項５】
前記電子メッセージ配信装置は、前記無線携帯電話が通話中であることを示す情報を前記通信網から受信した場合に、前記ステップ（ｂ）において、前記ステップ（ａ）を固定の待ち時間の経過後に再実行すべきであると判定する
ことを特徴とする請求項１に記載の電子メッセージの配信方法。
【請求項６】
前記電子メッセージ配信装置は、過去に行われた前記ステップ（ｂ）において連続して前記ステップ（ａ）を可変の待ち時間の経過後に再実行すべきであると判定した回数が所定の回数に達した後は、前記ステップ（ｃ）において前記第１の時間を一定とする
ことを特徴とする請求項１に記載の電子メッセージの配信方法。
【請求項７】
前記第１の時間は前記第２の時間より長い
ことを特徴とする請求項１に記載の電子メッセージの配信方法。
【請求項８】
前記無線携帯電話が通信可能かつ電子メッセージの受信不能な状態において前記ステップ（ａ）を再実行するまでの時間として予め定められている前記第２の時間は、前記無線携帯電話に対する送信が失敗した状態において前記ステップ（ａ）を再実行するまでの時間として予め定められている前記第２の時間より長い
ことを特徴とする請求項１に記載の電子メッセージの配信方法。
【請求項９】
前記電子メッセージ配信装置は、前記ステップ（ａ）において、前記電子メッセージ配信装置と前記無線携帯電話との間の通信を中継する基地局から発せられた電波を前記無線携帯電話が受信した際に前記無線携帯電話において測定された当該電波の電波強度を示す情報を取得し、当該電波強度を示す情報に基づき前記無線携帯電話の通信ステータスを判定する
ことを特徴とする請求項１に記載の電子メッセージの配信方法。
【請求項１０】
前記電子メッセージ配信装置は、前記ステップ（ａ）において、前記電子メッセージ配信装置と前記無線携帯電話との間の通信を中継する基地局から発せられた電波を前記無線携帯電話が受信した際に前記無線携帯電話において測定された当該電波の電波強度の遷移状態を示す情報を取得し、当該電波強度の遷移状態を示す情報に基づき前記無線携帯電話の通信ステータスを判定する
ことを特徴とする請求項１に記載の電子メッセージの配信方法。
【請求項１１】
電子メッセージの通信機能と通話機能を少なくとも備える無線携帯電話に対し、電子メッセージを配信する電子メッセージ配信装置あって、
前記無線携帯電話に対する電子メッセージの送信を行うことなく、前記無線携帯電話が属する通信網から取得される情報に基づき前記無線携帯電話の通信ステータスを判定するステータス判定手段と、
前記ステータス判定手段により判定された通信ステータスが、電子メッセージの受信可能な状態でない場合に、当該通信ステータスに基づき、前記ステータス判定手段による判定が可変の待ち時間の経過後に再実行されるべきか、それとも固定の待ち時間の経過後に再実行されるべきかを判定する待ち時間判定手段と、
前記待ち時間判定手段により過去に連続して前記ステータス判定手段による判定が可変の待ち時間の経過後に再実行されるべきであると判定された回数をカウントするカウント手段と、
前記ステータス判定手段により前記無線携帯電話が電子メッセージの受信可能な状態であると判定された場合に、前記電子メッセージを前記無線携帯電話に送信する送信手段と、
前記待ち時間判定手段により前記ステータス判定手段による判定が可変の待ち時間の経過後に再実行されるべきであると判定された場合には前記カウント手段によりカウントされる回数に応じて決定される第１の時間の経過後に前記ステータス判定手段に対し前記判定を再実行させ、前記待ち時間判定手段により前記ステータス判定手段による判定が固定の待ち時間の経過後に再実行されるべきであると判定された場合には予め定められた第２の時間の経過後に前記ステータス判定手段に対し前記判定を再実行させる制御手段と
を備えることを特徴とする電子メッセージ配信装置。
【請求項１２】
前記第１の時間は、前記カウント手段によりカウントされる回数の増加に応じて長くなるように決定される時間である
請求項１１に記載の電子メッセージ配信装置。
【請求項１３】
前記無線携帯電話を宛先とする電子メッセージの着信通知を前記無線携帯電話に送信する着信通知送信手段を備え、
前記ステータス判定手段は、前記着信通知に対する応答として前記無線網から送信される情報に基づき前記無線携帯電話の通信ステータスを判定する
ことを特徴とする請求項１１に記載の電子メッセージ配信装置。
【請求項１４】
前記待ち時間判定手段は、前記ステータス判定手段により前記無線携帯電話がサービス圏外にあるか、前記無線携帯電話の電源が投入されていないか、あるいは前記無線携帯電話が故障しているか、のいずれかであると判定された場合に、前記ステータス判定手段による判定が可変の待ち時間の経過後に再実行されるべきであると判定する
ことを特徴とする請求項１１に記載の電子メッセージ配信装置。
【請求項１５】
前記待ち時間判定手段は、前記ステータス判定手段により前記無線携帯電話が通話中であると判定された場合に、前記ステータス判定手段による判定が固定の待ち時間の経過後に再実行されるべきであると判定する
ことを特徴とする請求項１１に記載の電子メッセージ配信装置。
【請求項１６】
前記制御手段は、前記カウント手段によりカウントされた回数が所定の回数に達した後は、前記第１の時間を一定とする
ことを特徴とする請求項１１に記載の電子メッセージ配信装置。
【請求項１７】
前記第１の時間は前記第２の時間より長い
ことを特徴とする請求項１１に記載の電子メッセージ配信装置。
【請求項１８】
前記制御手段が、前記無線携帯電話が通信可能かつ電子メッセージの受信不能な状態において前記ステータス判定手段に対し前記判定を再実行させるまでの時間として予め定められている前記第２の時間は、前記無線携帯電話に対する送信が失敗した状態において前記ステータス判定手段に対し前記判定を再実行させるまでの時間として予め定められている前記第２の時間より長い
ことを特徴とする請求項１１に記載の電子メッセージ配信装置。
【請求項１９】
前記ステータス判定手段は、前記電子メッセージ配信装置と前記無線携帯電話との間の通信を中継する基地局から発せられた電波を前記無線携帯電話が受信した際に前記無線携帯電話において測定された当該電波の電波強度を示す情報を取得し、当該電波強度を示す情報に基づき前記無線携帯電話の通信ステータスを判定する
ことを特徴とする請求項１１に記載の電子メッセージ配信装置。
【請求項２０】
前記ステータス判定手段は、前記電子メッセージ配信装置と前記無線携帯電話との間の通信を中継する基地局から発せられた電波を前記無線携帯電話が受信した際に前記無線携帯電話において測定された当該電波の電波強度の遷移状態を示す情報を取得し、当該電波強度の遷移状態を示す情報に基づき前記無線携帯電話の通信ステータスを判定する
ことを特徴とする請求項１１に記載の電子メッセージ配信装置。
【手続補正２】
【補正対象書類名】明細書
【補正対象項目名】発明の名称
【補正方法】変更
【補正の内容】
【発明の名称】電子メッセージの配信方法及び電子メッセージ配信装置
【手続補正３】
【補正対象書類名】明細書
【補正対象項目名】０００５
【補正方法】変更
【補正の内容】
【０００５】
以上説明した課題を解決するため、本発明は、電子メッセージの通信機能と通話機能を少なくとも備える無線携帯電話に対する電子メッセージ配信装置からの電子メッセージの配信方法であって、（ａ）前記電子メッセージ配信装置が、前記無線携帯電話に対する電子メッセージの送信を行うことなく、前記無線携帯電話が属する通信網から取得される情報に基づき前記無線携帯電話の通信ステータスを判定するステップと、（ｂ）前記ステップ（ａ）において判定された通信ステータスが、電子メッセージの受信可能な状態でない場合に、当該通信ステータスに基づき、前記ステップ（ａ）を可変の待ち時間の経過後に再実行すべきか、それとも固定の待ち時間の経過後に再実行すべきかを判定するステップと、（ｃ）前記ステップ（ｂ）において、前記ステップ（ａ）を可変の待ち時間の経過後に再実行すべきであると判定した場合に、過去に行われた前記ステップ（ｂ）において連続して前記ステップ（ａ）を可変の待ち時間の経過後に再実行すべきであると判定した回数に応じて決定される第１の時間の経過後に前記ステップ（ａ）を再実行するステップと、（ｄ）前記ステップ（ｂ）において、前記ステップ（ａ）を固定の待ち時間の経過後に再実行すべきであると判定した場合に、予め定められた第２の時間の経過後に前記ステップ（ａ）を再実行するステップと、（ｅ）前記ステップ（ａ）において判定された通信ステータスが、電子メッセージの受信可能な状態である場合に、前記電子メッセージを前記無線携帯電話に送信するステップとを備えることを特徴とする電子メッセージの配信方法を提供する。
【手続補正４】
【補正対象書類名】明細書
【補正対象項目名】０００６
【補正方法】変更
【補正の内容】
【０００６】
好ましい態様において、前記第１の時間は、過去に行われた前記ステップ（ｂ）において連続して前記ステップ（ａ）を可変の待ち時間の経過後に再実行すべきであると判定した回数の増加に応じて長くなるように決定される時間である。
【手続補正５】
【補正対象書類名】明細書
【補正対象項目名】０００７
【補正方法】変更
【補正の内容】
【０００７】
また、他の好ましい態様において、前記電子メッセージ配信装置が、前記無線携帯電話を宛先とする電子メッセージの着信通知を前記無線携帯電話に送信するステップを備え、前記電子メッセージ配信装置は、前記ステップ（ａ）において、前記着信通知に対する応答として前記無線網から送信される情報を取得する。
【手続補正６】
【補正対象書類名】明細書
【補正対象項目名】０００８
【補正方法】変更
【補正の内容】
【０００８】
また、本発明は、電子メッセージの通信機能と通話機能を少なくとも備える無線携帯電話に対し、電子メッセージを配信する電子メッセージ配信装置あって、前記無線携帯電話に対する電子メッセージの送信を行うことなく、前記無線携帯電話が属する通信網から取得される情報に基づき前記無線携帯電話の通信ステータスを判定するステータス判定手段と、前記ステータス判定手段により判定された通信ステータスが、電子メッセージの受信可能な状態でない場合に、当該通信ステータスに基づき、前記ステータス判定手段による判定が可変の待ち時間の経過後に再実行されるべきか、それとも固定の待ち時間の経過後に再実行されるべきかを判定する待ち時間判定手段と、前記待ち時間判定手段により過去に連続して前記ステータス判定手段による判定が可変の待ち時間の経過後に再実行されるべきであると判定された回数をカウントするカウント手段と、前記ステータス判定手段により前記無線携帯電話が電子メッセージの受信可能な状態であると判定された場合に、前記電子メッセージを前記無線携帯電話に送信する送信手段と、前記待ち時間判定手段により前記ステータス判定手段による判定が可変の待ち時間の経過後に再実行されるべきであると判定された場合には前記カウント手段によりカウントされる回数に応じて決定される第１の時間の経過後に前記ステータス判定手段に対し前記判定を再実行させ、前記待ち時間判定手段により前記ステータス判定手段による判定が固定の待ち時間の経過後に再実行されるべきであると判定された場合には予め定められた第２の時間の経過後に前記ステータス判定手段に対し前記判定を再実行させる制御手段とを備えることを特徴とする電子メッセージ配信装置を提供する。